(57)【要約】本発明に係る携帯電話機は、送話のためのマイクロフォン（２２）、ケーシングに配備されたカメラ（３）（３０）、及び制御回路（１０）を具えている。制御回路（１０）は、撮影動作中の１つのカメラの撮影方向に応じてマイクロフォン（２２）の感度を変化させる。
2003065692.tif 000002
【特許請求の範囲】
【請求項１】
携帯可能なケーシングに送話のためのマイクロフォンを具えた携帯電話機において、
ケーシングに配備された１或いは複数の撮像装置と、
撮像装置によって撮影された画像及びマイクロフォンから入力された音声を記録するためのメモリ手段と、
ユーザによる撮影操作に応じて、１つの撮像装置によって撮影された画像及びマイクロフォンから入力された音声をメモリ手段に記録する記録処理手段と、
撮影動作中の１つの撮像装置の撮影方向に応じてマイクロフォンの感度を変化させる感度制御手段とを具えていることを特徴とする携帯電話機。
【請求項２】
ケーシングに配備された撮像装置は複数であって、これら複数の撮像装置の内、何れの撮像装置の動作がオンに設定されているかを判断する判断手段を具えており、前記感度制御手段は、前記判断結果に応じて、マイクロフォンの感度を変化させる請求の範囲第１項に記載の携帯電話機。
【請求項３】
ケーシングの前面に送話部が配備される一方、前記複数の撮像装置の内、少なくとも１つの撮像装置がケーシングの背面に配備され、前記感度制御手段は、ケーシングの背面に配備された撮像装置の動作がオンに設定されていると判断されたとき、マイクロフォンの感度を通話中の感度よりも上昇させる請求の範囲第２項に記載の携帯電話機。
【請求項４】
ケーシングは開閉可能であって、送話部はケーシングを閉じることによってケーシングに覆われる位置に配備されており、ケーシングの開閉状態を検出する開閉検出手段を具え、前記感度制御手段は、ケーシングの閉状態が検出されたとき、マイクロフォンの感度をケーシングの開状態での感度よりも上昇させる請求の範囲第３項に記載の携帯電話機。
【発明の詳細な説明】
技術分野
本発明は、携帯可能なケーシングにＣＣＤ（Ｃｈａｒｇｅ  Ｃｏｕｐｌｅｄ  Ｄｅｖｉｃｅ）カメラやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の１或いは複数の撮像装置を配備した携帯電話機に関するものである。
背景技術
近年、ＣＣＤカメラやＣＯＭＳセンサ等の撮像装置を具えた携帯電話機が普及している。
図１１及び図１２は、前面ケース（８１）と背面ケース（８２）を組み合わせてなる扁平なケーシング（８）を具えた従来の携帯電話機を表わしている。図示の如く、ケーシング（８）の頭部にはアンテナ（８３）が突設されており、前面ケース（８１）の表面には、複数の操作キーからなるキー入力装置（８６）及びディスプレイ（８７）が配備されている。又、前面ケース（８１）の表面の上端部及び下端部には夫々、スピーカを内蔵した受話部（８４）及びマイクロフォンを内蔵した送話部（８５）が設けられている。
一方、背面ケース（８２）の表面の上端部には、図１２に示す如く、ＣＣＤカメラ（９）が配備されており、ユーザによりシャッターボタンが押下されると、その時点でＣＣＤカメラ（９）によって撮影された画像が静止画像として内蔵メモリ（図示省略）に記録される。
ところで、近年、動画を記録すると同時に音声を記録することが可能な携帯電話機の開発が進められており、この種の携帯電話機の構成としては、従来の通話用マイクロフォンとは別に動画撮影用のマイクロフォンをケーシングの内部に配備する構成が考えられるが、かかる構成においては装置本体が大型化する問題がある。
そこで、従来の通話用マイクロフォンを動画撮影用のマイクロフォンとして兼用する構成が考えられる。
しかしながら、通話用マイクロフォンを動画撮影用のマイクロフォンとして兼用する構成を図１１及び図１２に示す従来の携帯電話機に採用した場合、通話用マイクロフォンの感度は通話時に最適な値に設定されているため、被写体がケーシング（８）の送話部（８５）とは反対の背面側に位置することとなる動画撮影時には、被写体が通話時における送話者よりも大きな音声を発しなければ、被写体の音声を充分なレベルで録音することが出来ない問題がある。
そこで本発明の目的は、従来の携帯電話機と同程度の外形寸法を維持して画像及び音声の記録機能を実現することが出来、然も、被写体が通話時における送話者の音声と同程度の大きさの音声を発すれば、撮影方向に拘わらず被写体の音声を充分なレベルで録音することが出来る携帯電話機を提供することである。
発明の開示
本発明に係る携帯電話機は、携帯可能なケーシングに送話のためのマイクロフォンを具え、その特徴的構成において、
ケーシングに配備された１或いは複数の撮像装置と、
撮像装置によって撮影された画像及びマイクロフォンから入力された音声を記録するためのメモリ手段と、
ユーザによる撮影操作に応じて、１つの撮像装置によって撮影された画像及びマイクロフォンから入力された音声をメモリ手段に記録する記録処理手段と、
撮影動作中の１つの撮像装置の撮影方向に応じてマイクロフォンの感度を変化させる感度制御手段
とを具えている。
本発明に係る携帯電話機においては、ユーザが撮影操作を行なうと、１或いは複数の撮像装置の内、１つの撮像装置によって撮影された画像がメモリ手段に記録されると共に、マイクロフォンから入力された音声がメモリ手段に記録される。この際、感度制御手段の動作によって、マイクロフォンの感度が前記１つの撮像装置の撮影方向に応じて変化する。例えば、撮像装置の撮影方向がケーシングに配備された送話部とは反対側である場合に、マイクロフォンの感度が通話時に比べて高められる。この様に、マイクロフォンの感度が撮影方向に応じて変化するので、被写体が通話時における送話者の音声と同程度の大きさの音声を発すれば、撮影方向に拘わらず被写体の音声を充分なレベルで録音することが出来る。又、撮影時においても送話のためのマイクロフォンを用いるので、撮影のためのマイクロフォンを電話機本体に装備する必要はなく、従来の携帯電話機と同程度の外形寸法を維持して、画像及び音声の記録機能を実現することが出来る。
具体的には、ケーシングに配備された撮像装置は複数であって、これら複数の撮像装置の内、何れの撮像装置の動作がオンに設定されているかを判断する判断手段を具えており、前記感度制御手段は、前記判断結果に応じて、マイクロフォンの感度を変化させる。
上記具体的構成においては、ケーシングの前面や背面に複数の撮像装置が配備されており、これらの撮像装置の内、何れの撮像装置の動作がオンに設定されているかの判断結果に応じてマイクロフォンの感度が変化する。
又、具体的には、ケーシングの前面に送話部が配備される一方、前記複数の撮像装置の内、少なくとも１つの撮像装置がケーシングの背面に配備され、前記感度制御手段は、ケーシングの背面に配備された撮像装置の動作がオンに設定されていると判断されたとき、マイクロフォンの感度を通話中の感度よりも上昇させる。
ケーシングの背面に配備された撮像装置を用いて被写体を撮影する際、被写体がケーシングの前面に配備された送話部とは反対側に位置することになる。そこで、上記具体的構成においては、ケーシングの背面に配備された撮像装置の動作がオンに設定されていると判断されたときに、マイクロフォンの感度が通話中の感度よりも高められる。
更に具体的には、ケーシングは開閉可能であって、送話部はケーシングを閉じることによってケーシングに覆われる位置に配備されており、ケーシングの開閉状態を検出する開閉検出手段を具え、前記感度制御手段は、ケーシングの閉状態が検出されたとき、マイクロフォンの感度をケーシングの開状態での感度よりも上昇させる。
上記具体的構成においては、送話部はケーシングを閉じた状態で該ケーシングによって覆われることになる。そこで、撮像装置による撮影時や通話時に、ケーシングの閉状態が検出されたとき、マイクロフォンの感度がケーシングを開いた状態での感度よりも高められる。
上述の如く、本発明に係る携帯電話機によれば、従来の携帯電話機と同程度の外形寸法を維持して画像及び音声の記録機能を実現することが出来、然も、被写体が通話時における送話者の音声と同程度の大きさの音声を発すれば、撮影方向に拘わらず被写体の音声を充分なレベルで録音することが出来る。
発明を実施するための最良の形態
以下、本発明の実施の形態につき、３つの実施例に基づいて具体的に説明する。
第１実施例
本実施例の携帯電話機は、図１（ａ）乃至図１（ｃ）、及び図２（ａ）乃至図２（ｃ）に示す如く、上半ケース（１１）及び下半ケース（１２）からなるケーシング（１）を具え、上半ケース（１１）及び下半ケース（１２）が互いに上下に摺動可能に係合して、図１（ａ）乃至図１（ｃ）に示す如く上半ケース（１１）の前面位置と下半ケース（１２）の前面位置とを互いに上下にずらした状態と、図２（ａ）乃至図２（ｃ）に示す如く上半ケース（１１）の前面位置と下半ケース（１２）の前面位置とを互いに一致させた状態との間で、開閉操作が可能となっている。この様にして、開閉可能なケーシング（１）が構成されている。
上半ケース（１１）の前面には、スピーカを内蔵した受話部（２）が配備されると共に、有機エレクトロルミネッセンスディスプレイからなる主ディスプレイ（１３ａ）と液晶ディスプレイからなる補助ディスプレイ（１３ｂ）が配備されている。又、上半ケース（１１）の前面には、複数の操作キーからなる上部キー入力装置（１４ａ）が配備されており、該キー入力装置（１４ａ）は、図１（ａ）の如くケーシング（１）を開いた状態及び図２（ａ）の如くケーシング（１）を閉じた状態の何れの状態でも操作が可能である。更に、上半ケース（１１）には、前面及び背面の上端部に、２つのＣＣＤカメラ（３）（３０）が配備されている。上半ケース（１１）の前面に配備されたＣＣＤカメラ（以下、前面カメラという）（３）は、図１（ａ）の如くケーシング（１）を開いた状態及び図２（ａ）の如くケーシング（１）を閉じた状態の何れの状態でもレンズ部が外部に露出して画像撮影が可能である。一方、上半ケース（１１）の背面に配備されたＣＣＤカメラ（以下、背面カメラという）（３０）は、図１（ｂ）の如くケーシング（１）を開いた状態でのみレンズ部が外部に露出して画像撮影が可能である。
一方、下半ケース（１２）の前面には、マイクロフォンを内蔵した送話部（２０）が配備されると共に、複数の操作キーからなる下部キー入力装置（１４ｂ）が配備されている。該キー入力装置（１４ｂ）は、図１（ａ）の如くケーシング（１）を開いた状態でのみ、操作が可能である。又、下半ケース（１２）の背部には、伸縮式アンテナ（１５）が配備されている。
図３は、上記携帯電話機の電気的構成を表わしている。図示の如く、デュープレクサ（１６）に対して並列に受信回路（１７ａ）及び送信回路（１７ｂ）が接続されており、アンテナ（１５）によって受信された信号は、デュープレクサ（１６）を経て受信回路（１７ａ）に供給され、受話信号が復調される。該受話信号は、制御回路（１０）を経てスピーカ（２１）へ供給されて、放音される。又、マイクロフォン（２２）に入力された送話信号は、制御回路（１０）を経て送信回路（１７ｂ）へ供給され、変調を受ける。変調を受けた送話信号は、デュープレクサ（１６）を経てアンテナ（１５）から送信される。
上記制御回路（１０）には、上述の主ディスプレイ（１３ａ）、補助ディスプレイ（１３ｂ）、上部キー入力装置（１４ａ）、下部キー入力装置（１４ｂ）、前面カメラ（３）及び背面カメラ（３０）が接続されると共に、画像及び音声を記録するためのメモリ（１９）が接続されている。又、制御回路（１０）には、ケーシング（１）の開閉を検出するための開閉検出用センサ（１８）が接続されている。
本発明に係る携帯電話機においては、前面カメラ（３）或いは背面カメラ（３０）によって撮影された画像を動画像としてメモリ（１９）に記録すると同時にマイクロフォン（２２）から入力された音声をメモリ（１９）に記録することが可能であって、動画及び音声の記録が可能なビデオモードの設定が可能である。又、マイクロフォン（２２）は、ケーシング（１）を開いた状態で通話を行なうときに最適な通常レベルと、通常レベルよりも高い第１ハイレベルと、更に高い第２ハイレベルの３段階のレベルで感度を切り換えることが可能となっており、上記制御回路（１０）は、後述の如く、開閉検出用センサ（１８）からのセンサ信号と、前面カメラ（３）及び背面カメラ（３０）の何れのカメラの動作がオンに設定されているかの判断結果とに基づいて、マイクロフォン（２２）の感度を前記３段階のレベルで切り換える。
図４は、上記制御回路（１０）によって実行されるマイクロフォン感度切換え制御手続を表わしており、先ずステップＳ１では、通話中であるか否かを判断し、イエスと判断された場合はステップＳ２に移行して、開閉検出用センサ（１８）からのセンサ信号に基づいてケーシング（１）が開かれているか否かを判断する。ここで、イエスと判断された場合は、ステップＳ３にてマイクロフォンの感度を通常レベルに設定する一方、ノーと判断された場合は、ステップＳ４にてマイクロフォンの感度を第１ハイレベルに設定して、ステップＳ１に戻る。
通話中ではなく上記ステップＳ１にてノーと判断された場合は、ステップＳ５に移行して、ビデオモードが設定されているか否かを判断し、ノーと判断された場合はステップＳ１に戻る。一方、ステップＳ５にてイエスと判断された場合は、ステップＳ６に移行して、開閉検出用センサ（１８）からのセンサ信号に基づいてケーシング（１）が開かれているか否かを判断し、イエスと判断された場合は、ステップＳ７に移行して、前面カメラ（３）及び背面カメラ（３０）の何れのカメラの動作がオンに設定されているかを判断する。前面カメラ（３）の動作がオンに設定されている場合は、ステップＳ８にてマイクロフォンの感度を通常レベルに設定する一方、背面カメラ（３０）の動作がオンに設定されている場合は、ステップＳ９にてマイクロフォンの感度を第２ハイレベルに設定して、ステップＳ１に戻る。
ケーシング（１）が閉じられており、ステップＳ６にてノーと判断された場合には、ステップＳ１０に移行して、前面カメラ（３）及び背面カメラ（３０）の何れのカメラの動作がオンに設定されているかを判断する。前面カメラ（３）の動作がオンに設定されている場合は、ステップＳ１１にてマイクロフォンの感度を第１ハイレベルに設定して、ステップＳ１に戻る一方、背面カメラ（３０）の動作がオンに設定されている場合は、ステップＳ１２にてマイクロフォンの動作をオフに設定して、ステップＳ１に戻る。
上記手続によれば、下記表１に示す如く、ケーシング（１）が開かれた状態で通話が行なわれている場合には、マイクロフォンの感度は通常レベルに設定される一方、ケーシング（１）が閉じられた状態で通話が行なわれている場合には、マイクロフォンの感度は第１ハイレベルに設定される。又、ケーシング（１）が開かれた状態で前面カメラ（３）により撮影が行なわれている場合には、マイクロフォンの感度は通常レベルに設定される一方、ケーシング（１）が開かれた状態で背面カメラ（３０）により撮影が行なわれている場合には、マイクロフォンの感度は第２ハイレベルに設定される。更に、ケーシング（１）が閉じられた状態で前面カメラ（３）により撮影が行なわれている場合には、マイクロフォンの感度は第１ハイレベルに設定され、ケーシング（１）が閉じられた状態で背面カメラ（３０）の動作がオンに設定されている場合には、マイクロフォンの動作がオフに設定される。かかる場合にマイクロフォンの動作がオフに設定される理由は、背面カメラ（３０）のレンズ部がケーシング（１）に覆われており、被写体の撮影が不可能であるからである。
2003065692.tif 000003
本実施例の携帯電話機においては、動画撮影時においても通話用マイクロフォン（２２）を用いることにより、従来の携帯電話機と同程度の外形寸法を維持して動画及び音声の記録機能が実現されている。
又、本実施例の携帯電話機においては、ケーシング（１）を閉じた状態で通話を行なっている際には、送話部（２０）が上半ケース（１１）によって覆われることになるが、マイクロフォンの感度がケーシング（１）が開かれた状態で通話が行なわれている際の感度よりも高い第１ハイレベルに設定されるので、送話者がケーシング（１）を開いた状態で通話を行なう際と同程度の大きさの音声を発すれば、送話者の音声を充分なレベルで送話信号として相手の電話機に送信することが出来る。
又、ケーシング（１）を閉じた状態で前面カメラ（３）を用いて撮影を行なっている際にも、送話部（２０）が上半ケース（１１）によって覆われることになるが、ケーシング（１）が開かれた状態で通話が行なわれている際の感度よりも高い第１ハイレベルに設定されるので、被写体がケーシング（１）を開いた状態で通話を行なう際と同程度の大きさの音声を発すれば、被写体の音声を充分なレベルで録音することが出来る。
更に、ケーシング（１）を開いた状態で背面カメラ（３０）を用いて撮影を行なっている際には、被写体が下半ケース（１２）の前面に配備された送話部（２０）とは反対側に位置することになるが、通話時の感度よりも高い第２ハイレベルに設定されるので、被写体が通話時における送話者の音声と同程度の大きさの音声を発すれば、被写体の音声を充分なレベルで録音することが出来る。
第２実施例
本実施例の携帯電話機は、図５、図６（ａ）及び図６（ｂ）に示す如く扁平な本体ケース（４１）と蓋体ケース（４２）を具え、本体ケース（４１）の上端部と蓋体ケース（４２）の下端部とがヒンジ機構（４３）を介して互いに連結されて、図５の如く蓋体ケース（４２）を開いた状態と、図６（ａ）及び図６（ｂ）の如く蓋体ケース（４２）を閉じた状態の間で、開閉操作が可能となっている。この様にして、折り畳みが可能なケーシングが構成されている。
本体ケース（４１）の前面には、複数の操作キーからなるキー入力装置（４５）が配備されると共に、該前面の下端部には、マイクロフォンを内蔵した送話部（４６）が設けられている。又、本体ケース（４１）の背部には、伸縮式アンテナ（４４）が配備されている。
一方、蓋体ケース（４２）の前面には、主ディスプレイ（４７ａ）が配備されると共に、該前面の上端部には、スピーカを内蔵した受話部（４８）が設けられている。又、蓋体ケース（４２）の前面には、蓋体ケース（４２）の開閉を検出するための開閉検出スイッチ（４９）が配備されており、該開閉検出スイッチ（４９）は、蓋体ケース（４２）を閉じることによってオンとなる一方、蓋体ケース（４２）を開くことによってオフとなる。更に、蓋体ケース（４２）の前面には、ＣＣＤカメラ（５）が配備されており、該カメラ（５）は、蓋体ケース（４２）を開いた状態でのみレンズ部が外部に露出して画像撮影が可能である。又、蓋体ケース（４２）の背面には、図６の如く、補助ディスプレイ（４７ｂ）が配備されると共にＣＣＤカメラ（５０）が配備されている。該ＣＣＤカメラ（５０）は、図５の如くケーシング（４）を開いた状態及び図６（ａ）の如くケーシング（４）を閉じた状態の何れの状態でもレンズ部が外部に露出して画像撮影が可能である。
本実施例の携帯電話機においては、上記第１実施例と同様に、動画及び音声の記録が可能なビデオモードの設定が可能であると共に、マイクロフォンの感度を３段階のレベルで切り換えることが可能である。
図７は、本実施例の制御回路によって実行されるマイクロフォン感度切換え制御手続を表わしており、先ずステップＳ２１では、通話中であるか否かを判断し、イエスと判断された場合はステップＳ２２に移行して、開閉検出スイッチ（４９）からのオン／オフ信号に基づいてケーシング（４）が開かれているか否かを判断する。ここで、イエスと判断された場合は、ステップＳ２３にてマイクロフォンの感度を通常レベルに設定する一方、ノーと判断された場合は、ステップＳ２４にてマイクロフォンの動作をオフに設定して、ステップＳ２１に戻る。
通話中ではなく上記ステップＳ２１にてノーと判断された場合は、ステップＳ２５に移行して、ビデオモードが設定されているか否かを判断し、ノーと判断された場合はステップＳ２１に戻る。一方、ステップＳ２５にてイエスと判断された場合は、ステップＳ２６に移行して、開閉検出スイッチ（４９）からのオン／オフ信号に基づいてケーシング（４）が開かれているか否かを判断し、イエスと判断された場合は、ステップＳ２７に移行して、前面カメラ（５）及び背面カメラ（５０）の何れのカメラの動作がオンに設定されているかを判断する。前面カメラ（５）の動作がオンに設定されている場合は、ステップＳ２８にてマイクロフォンの感度を通常レベルに設定する一方、背面カメラ（５０）の動作がオンに設定されている場合は、ステップＳ２９にてマイクロフォンの感度を第１ハイレベルに設定して、ステップＳ２１に戻る。
ケーシング（４）が閉じられており、ステップＳ２６にてノーと判断された場合は、ステップＳ３０に移行して、前面カメラ（５）及び背面カメラ（５０）の何れのカメラの動作がオンに設定されているかを判断する。前面カメラ（５）の動作がオンに設定されている場合は、ステップＳ３１にてマイクロフォンの動作をオフに設定して、ステップＳ２１に戻る一方、背面カメラ（５０）の動作がオンに設定されている場合は、ステップＳ３２にてマイクロフォンの感度を第２ハイレベルに設定して、ステップＳ２１に戻る。
上記手続によれば、下記表２に示す如く、ケーシング（４）が開かれた状態で通話が行なわれている場合には、マイクロフォンの感度は通常レベルに設定され、その後、通話中にケーシング（４）が閉じられた場合には、マイクロフォンの動作がオフに設定される。かかる場合にマイクロフォンの動作がオフに設定される理由は、ケーシング（４）が閉じられることによって相手の電話機との通信が終了するからである。又、ケーシング（４）が開かれた状態で前面カメラ（５）により撮影が行なわれている場合には、マイクロフォンの感度は通常レベルに設定される一方、ケーシング（４）が開かれた状態で背面カメラ（５０）により撮影が行なわれている場合は、マイクロフォンの感度は第１ハイレベルに設定される。又、ケーシング（４）が閉じられた状態で前面カメラ（５）の動作がオンに設定されている場合には、マイクロフォンの動作がオフに設定される。かかる場合にマイクロフォンの動作がオフに設定される理由は、前面カメラ（５）のレンズ部がケーシング（４）に覆われており、被写体の撮影が不可能であるからである。一方、ケーシング（４）が閉じられた状態で背面カメラ（５０）により撮影が行なわれている場合には、マイクロフォンの感度は第２ハイレベルに設定される。
2003065692.tif 000004
本実施例の携帯電話機においては、動画撮影時においても通話用マイクロフォンを用いることにより、従来の携帯電話機と同程度の外形寸法を維持して動画及び音声の記録機能が実現されている。
又、本実施例の携帯電話機においては、ケーシング（４）を開いた状態で背面カメラ（５０）を用いて撮影を行なっている際には、被写体が本体ケース（４１）の前面に配備された送話部（４６）と反対側に位置することになるが、マイクロフォンの感度が通話時の感度よりも高い第１ハイレベルに設定されるので、被写体が通話時における送話者の音声と同程度の大きさの音声を発すれば、被写体の音声を充分なレベルで録音することが出来る。
更に、本実施例の携帯電話機においては、ケーシング（４）を閉じた状態で背面カメラ（５０）を用いて撮影を行なっている際には、送話部（４６）が蓋体ケース（４２）によって覆われることになるが、ケーシング（４）が開かれた状態で通話が行なわれている際の感度よりも高い第１ハイレベルに設定されるので、被写体がケーシング（４）を開いた状態で通話を行なう際と同程度の大きさの音声を発すれば、被写体の音声を充分なレベルで録音することが出来る。
第３実施例
本実施例の携帯電話機は、図８及び図９に示す如く前面ケース（６１）と背面ケース（６２）を組み合わせてなる扁平なケーシング（６）を具え、該ケーシング（６）の頭部にアンテナ（６３）が突設されている。前面ケース（６１）の表面には、複数の操作キーからなるキー入力装置（６６）及びディスプレイ（６７）が配備されている。又、前面ケース（６１）の表面には、上端部に、スピーカを内蔵した受話部（６４）が設けられる一方、下端部に、マイクロフォンを内蔵した送話部（６５）が設けられている。更に、前面ケース（６１）及び背面ケース（６２）の表面の上端部には、ＣＣＤカメラ（７）（７０）が配備されている。
本実施例の携帯電話機においては、動画及び音声の記録が可能なビデオモードの設定が可能であると共に、マイクロフォンの感度を、通話時に最適な通常レベルと、通常レベルよりも高いハイレベルとの２段階のレベルで切り換えることが可能である。
図１０は、本実施例の制御回路によって実行されるマイクロフォン感度切換え制御手続を表わしており、先ずステップＳ４１では、通話中であるか否かを判断し、イエスと判断された場合はステップＳ４２にてマイクロフォンの感度を通常レベルに設定して、ステップＳ４１に戻る。
通話中ではなく上記ステップＳ４１にてノーと判断された場合は、ステップＳ４３に移行して、ビデオモードが設定されているか否かを判断し、ノーと判断された場合はステップＳ４１に戻る一方、イエスと判断された場合は、ステップＳ４４に移行して、前面カメラ（７）及び背面カメラ（７０）の何れのカメラの動作がオンに設定されているかを判断する。前面カメラ（７）の動作がオンに設定されている場合は、ステップＳ４５にてマイクロフォンの感度を通常レベルに設定する一方、背面カメラ（７０）の動作がオンに設定されている場合は、ステップＳ４６にてマイクロフォンの感度をハイレベルに設定して、ステップＳ４１に戻る。
上記手続によれば、下記表３に示す如く、通話が行なわれている場合には、マイクロフォンの感度は通常レベルに設定される。又、前面カメラ（７）により撮影が行なわれている場合には、マイクロフォンの感度は通常レベルに設定される一方、背面カメラ（７０）により撮影が行なわれている場合には、マイクロフォンの感度はハイレベルに設定される。
2003065692.tif 000005
本実施例の携帯電話機においては、動画撮影時においても通話用マイクロフォンを用いることにより、従来の携帯電話機と同程度の外形寸法を維持して動画及び音声の記録機能が実現されている。
又、本実施例の携帯電話機においては、背面カメラ（７０）を用いて撮影を行なっている際には、被写体がケーシング（８）の前面に配備された送話部（６５）とは反対側に位置することになるが、マイクロフォンの感度が通話時の感度よりも高いハイレベルに設定されるので、被写体が通話時における送話者の音声と同程度の大きさの音声を発すれば、被写体の音声を充分なレベルで録音することが出来る。
尚、本発明の各部構成は上記実施の形態に限らず、特許請求の範囲に記載の技術的範囲内で種々の変形が可能である。
例えば、上記実施の形態においては、本発明を前面カメラ及び背面カメラの２つのカメラを具えた携帯電話機に実施しているが、これに限らず、１つのカメラを具え、カメラの撮影方向を変化させることが可能な携帯電話機に実施することも可能である。この種の携帯電話機においては、例えば動画撮影時にカメラの撮影方向を検出し、その検出結果に基づいてマイクロフォンの感度を変化させる構成を採用することが出来る。
又、本発明をＴＶ電話通信の可能な携帯電話機に実施することも可能である。この種の携帯電話機においては、例えばＴＶ電話通信時にマイクロフォンの感度が通常の通話時に比べて高められる。
【図面の簡単な説明】
図１（ａ）は、第１実施例の携帯電話機の開いた状態を表わす正面図である。
図１（ｂ）は、上記携帯電話機の開いた状態を表わす背面図である。
図１（ｃ）は、上記携帯電話機の開いた状態を表わす側面図である。
図２（ａ）は、上記携帯電話機の閉じた状態を表わす正面図である。
図２（ｂ）は、上記携帯電話機の閉じた状態を表わす背面図である。
図２（ｃ）は、上記携帯電話機の閉じた状態を表わす側面図である。
図３は、上記携帯電話機の電気的構成を表わすブロック図である。
図４は、上記携帯電話機において実行されるマイクロフォン感度切換え制御手続を表わすフローチャートである。
図５は、第２実施例の携帯電話機の開いた状態を表わす正面図である。
図６（ａ）は、上記携帯電話機の閉じた状態を表わす正面図である。
図６（ｂ）は、上記携帯電話機の閉じた状態を表わす側面図である。
図７は、上記携帯電話機において実行されるマイクロフォン感度切換え制御手続を表わすフローチャートである。
図８は、第３実施例の携帯電話機を前面側から見た斜視図である。
図９は、上記携帯電話機を背面側から見た斜視図である。
図１０は、上記携帯電話機において実行されるマイクロフォン感度切換え制御手続を表わすフローチャートである。
図１１は、従来の携帯電話機を前面側から見た斜視図である。
図１２は、上記携帯電話機を背面側から見た斜視図である。
【図１（ａ）】
2003065692.tif 000006
【図１（ｂ）】
2003065692.tif 000007
【図１（ｃ）】
2003065692.tif 000008
【図２（ａ）】
2003065692.tif 000009
【図２（ｂ）】
2003065692.tif 000010
【図２（ｃ）】
2003065692.tif 000011
【図３】
2003065692.tif 000012
【図４】
2003065692.tif 000013
【図５】
2003065692.tif 000014
【図６（ａ）】
2003065692.tif 000015
【図６（ｂ）】
2003065692.tif 000016
【図７】
2003065692.tif 000017
【図８】
2003065692.tif 000018
【図９】
2003065692.tif 000019
【図１０】
2003065692.tif 000020
【図１１】
2003065692.tif 000021
【図１２】
2003065692.tif 000022
【国際調査報告】
2003065692.tif 000023
2003065692.tif 000024
2003065692.tif 000025
2003065692.tif 000026